(57)【要約】【課題】気密コンパクトの内側に配置される中蓋をその全周にわたって均等に押圧して気密性の安定化を図る。【解決手段】化粧料を充填する充填空間とパフ等の塗布具を収納する収納空間を有する容器本体と、この容器本体に枢軸を介して開閉可能に保持される蓋体と、蓋体の閉方向に向かう揺動時に充填空間の縁部に当接させて該充填空間を気密状態に保持する中蓋とを備えた気密コンパクトにおいて、前記中蓋又はこの中蓋が対面する蓋体の対面部位を枢軸に平行な仮想直線でもって２つの領域に区分しその領域うち枢軸から遠く離れた領域につき、該中蓋を充填空間の縁部に強く押しつけて気密性を高める少なくとも１つの凸部を設ける。【選択図】        図４
2004202109.tif 000002
【特許請求の範囲】
【請求項１】
化粧料を充填する充填空間とパフ等の塗布具を収納する収納空間を有する容器本体と、この容器本体に枢軸を介して開閉可能に保持される蓋体と、蓋体の閉方向に向かう揺動時に充填空間の縁部に当接させて該充填空間を気密状態に保持する中蓋とを備えた気密コンパクトであって、
前記中蓋又はこの中蓋が対面する蓋体の対面部位を枢軸に平行な仮想直線でもって２つの領域に区分し、その２つの領域のうち枢軸から遠く離れた領域につき、該中蓋を充填空間の縁部に強く押しつけて気密性を高める少なくとも１つの凸部を設けたことを特徴とする気密コンパクト。
【請求項２】
縁部又はこの縁部に当接する中蓋の当接部位にシール部材を備える請求項１記載の気密コンパクト。
【請求項３】
凸部は中蓋の天面又は蓋体の裏面に設けられたものである請求項１又は２記載の気密コンパクト。
【請求項４】
凸部が複数設けられ、そのうち枢軸から最も離れた位置に設けられた凸部は最大高さを有する請求項１〜３の何れかに記載の気密コンパクト。
【発明の詳細な説明】
【０００１】
【発明の属する技術分野】
本発明は、ファンデーションやアイシャドー等の化粧料を収納するコンパクトに関するものであり、該コンパクトの気密性のより一層の改善を図ろうとするものである。
【０００２】
【従来の技術】
ファンデーションやアイシャドー等の化粧料は近年、揮発成分を含んだものが多用されている。そして、このような揮発成分を含んだ化粧料はその揮散が避けられないので気密性の高いコンパクトが使用される。
【０００３】
気密性を高めるための具体的な構造としては、従来、コンパクトの蓋体の内側にシール部材としての中蓋を設け、蓋体を閉じる時に、該蓋体によって中蓋を化粧料の充填開口部に押しつける構造が採用されていた（例えば、特許文献１参照）。
【０００４】
【特許文献１】
特開２００２−３４２号公報
【０００５】
ところで、かかるコンパクトでは、以下に述べるような問題が未だに存在しており、その解決が望まれている。
【０００６】
すなわち、この種の内容物を収納するのに供されるコンパクトは、化粧料を充填したドラムをパフ等の塗布具とともに備えるコンパクトが主流であり、その蓋体は普通、枢支軸を介して揺動可能に保持され、該枢支軸から最も離れた揺動最先端をコンパクト本体の係止部分でロックするのが一般的であるところ、枢支軸に近い領域と係止部分に近い領域では、蓋体の中蓋に対する押圧力に違いが生じる（係止部分に近い領域では押圧力が弱いためシール性に劣る）ため気密性の安定的な維持が困難になっていた。
【０００７】
【発明が解決しようとする課題】
本発明の課題は、中蓋を充填空間の周りでほぼ均一な力でもって押しつけることで気密性を安定的に維持することができる新規な気密コンパクトを提案するところにある。
【０００８】
【課題を解決するための手段】
本発明は、化粧料を充填する充填空間とパフ等の塗布具を収納する収納空間を有する容器本体と、この容器本体に枢軸を介して開閉可能に保持される蓋体と、蓋体の閉方向に向かう揺動時に充填空間の縁部に当接させて該充填空間を気密状態に保持する中蓋とを備えた気密コンパクトであって、
前記中蓋又はこの中蓋が対面する蓋体の対面部位を枢軸に平行な仮想直線でもって２つの領域に区分し、その２つの領域のうち枢軸から遠く離れた領域につき、該中蓋を充填空間の縁部に強く押しつけて気密性を高める少なくとも１つの凸部を設けたことを特徴とする気密コンパクトである。
【０００９】
縁部又はこの縁部に当接する中蓋の当接部位にはパッキンの如きシール部材を設ける。
【００１０】
凸部は中蓋の天面又は蓋体の裏面に設けることができ、凸部が複数設けられた場合には、そのうち枢軸から最も離れた位置に設けられた凸部は最大高さを有するものが望ましい。
【００１１】
【発明の実施の形態】
以下、図面を用いて本発明をより具体的に説明する。
【００１２】
図１〜図４は本発明にしたがう気密コンパクトの実施の形態を示したものであり、図１はコンパクトの側面を断面で示した図であり、図２は図１の右側半分を拡大して、また、図３は図１の左側半分を拡大してそれぞれ示した図であり、さらに図４は図１に示した蓋体の裏面を示した図である。
【００１３】
図１〜４において１は容器本体である。この容器本体１はレフィルタイプの中皿（ドラム）ｎによって形成することができる化粧料の充填空間１ａとパフ等の塗布具を収納する収納空間１ｂを備えている。
【００１４】
また、２は容器本体１内に配置される中枠、３は容器本体１に枢軸ｓを介して開閉可能に保持される蓋体、４はドラムｎの縁部にインサート成形等によって設けられたエラストマー等からなるシール部材、５は蓋体３の閉方向に向かう揺動時に充填空間１ａの縁部に設けたシール部材４に当接させて該充填空間１ａを気密状態に保持する中蓋である。中蓋５は蓋体３の裏面に一体成形された壁部３ａに縦方向（図２のＸ方向）、横方向（図２のＹ方向）に極わずかに移動可能に抜け出し不能に保持されており、シール部材４に確実に当接することができるようになっている。
【００１５】
また、６は蓋体３の裏面に一体的に設けた例で示した凸部（図２、４参照）であり、この凸部６は図４に示すように中蓋５が対面する蓋体３の対面部位Ｐを枢軸ｓに平行な仮想直線Ｌでもって同面積で区分された２つの領域（Ｐ１、Ｐ２）のうち、枢軸ｓから遠く離れた領域Ｐ２につき、中蓋５をシール部材４に強く押しつけて気密性を高める。
【００１６】
さらに、７は蓋体３の揺動最先端に一体的に成形されたフック、８は容器本体１にスライド移動可能にセットされフック７と係合する係止部分、そして９は係止部分８でフック７の係合を解除したときに蓋体３を極わずかに開放するためのポップアップ部材（弾性材料で成形されたもの）である。
【００１７】
この種のコンパクトは蓋体３を閉じたとき、中蓋５がシール部材４に押しつけられることによって中皿４の内側は気密状態に保持されるものの、該中蓋５の枢軸ｓに近い側と、係止部分８に近い側とを比較した場合に、係止部分８に近いほうが押圧力がどうしても弱くなるためシール性が劣るのは避けられないが、本発明にしたがうコンパクトは、凸部６を設けてあるため、係止部分８に近い側でも枢軸ｓに近い側と同等にシール部材４に向けて強く押され、結果として中皿５にかかる押圧力はその全周でほぼ均等になり気密性が安定化される。
【００１８】
本発明では図４の如く仮想直線Ｌ上に２つ、係止部分８に近い側に２つ、合計４つの凸部６を蓋体３の裏面に設けた例を示したが、これは中蓋５の天面に設けることもでき、その設置個数や形状についても限定されない。
【００１９】
とくに、領域Ｐ１にも凸部を形成する場合には、係止部分８に近い側に設けられる凸部６については他の領域（枢軸ｓ側）に設けた凸部６よりも高さを高くしておくことが肝要であり、これにより確実なシールが可能になる。各凸部６の高さは、蓋体３を閉じた時に中蓋５がシール部材４に均一な押圧力でもって当接するように適宜に調整する。なお、本発明の実施の形態では、枢軸ｓから最も離れた位置となる中蓋５の先端部分を充填空間１ａに向けて押圧するよう、４つの凸部６とは別に蓋体３裏面の該当部分に突起６′を設けることができ、これにより気密状態のより一層の安定的な保持が可能になる。
【００２０】
本発明の実施の形態で示したところのコンパクトは、枢軸ｓから係合部分８に向けて充填空間１ａ、収納空間１ｂを配置した直列タイプのコンパクトを例として示したが、枢軸ｓの軸心に沿ってそれらを配置した並列タイプのコンパクトや充填空間１ａと収納空間１ｂを縦方向に配置した多段タイプの何れのものにも適用できる。
【００２１】
また、シール部材４については中皿ｎの縁部設けた場合について示したが、該シール部材４は中蓋５の縁部に設けてもよい。
【００２２】
【発明の効果】
本発明によれば、中蓋を充填空間の周りでほぼ均一な力で押しつけることができるので気密状態が安定的に保持される。
【図面の簡単な説明】
【図１】本発明にしたがう気密コンパクトの実施の形態を示した断面図である。
【図２】図１の要部を拡大して示した図である。
【図３】図１の要部を拡大して示した図である。
【図４】蓋体の裏面を示した図である。
【符号の説明】
１  容器本体
１ａ  充填空間
１ｂ  収納空間
２  中枠
３  蓋体
３ａ  壁部
４  シール部材
５  中蓋
６  凸部
６′  突起
７  フック
８  係止部分
９  ポップアップ部材
ｎ  ドラム
ｓ  枢軸
【図１】
2004202109.tif 000003
【図２】
2004202109.tif 000004
【図３】
2004202109.tif 000005
【図４】
2004202109.tif 000006